(57)【要約】【課題】  光源の配置等に工夫を凝らして、光源が発する光を高効率で透光性表示層の透過照明に利用可能な表示装置を提供する。【解決手段】  文字盤２を照明する発光ダイオード４を目盛２１および数字２２の直下に文字盤２に向けて光を照射するように配置し、発光ダイオード４の発光面４１と文字盤２との間に発光ダイオード４からの光を発光ダイオード４と対向する目盛２１および数字２２よりも遠くの目盛２１および数字２２に向けて反射するリフレクタ５を備える構成とした。これにより、文字盤２において、一個の発光ダイオード４により照明される範囲を拡大することができ、且つその照明範囲に置ける発光照度を均一なものとし、且つ発光ダイオード４から文字盤２の被照明部分までの光路長を短縮して光路途中における光量の減衰を抑制し、発光ダイオード４が発する光を高効率で利用可能なコンビネーションメータ１を提供することができる。【選択図】        図４
2005326183.tif 000002
【特許請求の範囲】
【請求項１】
規則的に配列される表示意匠を備え透光性材質から形成された文字盤と、
前記文字盤の背面側に配置された光源が発する光により前記表示意匠を透過照明する表示装置であって、
前記光源は前記表示意匠の直下に前記文字盤に向けて光を照射するように配置され、
前記光源の発光面と前記文字盤との間には前記光源からの光を前記光源と対向する前記表示意匠よりも遠くの前記表示意匠に向けて反射する反射部材を備えることを特徴とする表示装置。
【請求項２】
前記反射部材は前記光源の光軸を挟むように２つの反射面を備えることを特徴とする請求項１に記載の表示装置。
【請求項３】
前記反射部材は前記光源に向かって凸の多面体あるいは曲面体であることを特徴とする請求項１に記載の表示装置。
【請求項４】
前記表示意匠は円弧上または楕円弧上に配列され、
前記光源は前記円弧上または前記楕円弧上、あるいはこれらと同心上に複数個配置されることを特徴とする請求項１ないし請求項３のいずれかに記載の表示装置。
【請求項５】
前記反射部材は前記文字盤および前記光源等を収容するケーシングと一体的に形成されることを特徴とする請求項１ないし請求項４のいずれかに記載の表示装置。
【請求項６】
前記反射部材で反射した反射光の一部を前記表示意匠に向けて反射する第２反射部材を備えることを特徴とする請求項１ないし請求項５のいずれかに記載の表示装置。
【請求項７】
前記第２反射部材は前記ケーシングと一体的に形成されることを特徴とする請求項６に記載の表示装置。
【発明の詳細な説明】
【技術分野】
【０００１】
本発明は、表示装置に関するものであり、たとえば自動車等に搭載される車両用表示装置に適用するのに好適である。
【背景技術】
【０００２】
従来の表示装置として、たとえば、駆動装置の駆動軸に固定され計測された物理量に応じて目盛板の表面に沿って回動する指針と、目盛板にこの指針に対応して形成された透光性表示層（目盛や文字等）と、目盛板の背面に配置された光源とを備え、光源が発する光により目盛板を透過照明して、透光性表示層を発光表示するように構成したものがある（特許文献１参照）。
【０００３】
この表示装置においては、透光性表示層は、目盛板に指針の駆動軸と同心上の円弧に沿って配置されている。一方、光源は、駆動軸近傍、つまり透光性表示層が配置される円弧の中心付近に配置され、目盛板の裏側に配置される枠体が備える反射部で目盛板のさらに外周側に向けて反射され、そこで透光性表示層を透過照明する。
【特許文献１】特開２００３−２５４７９１号公報
【発明の開示】
【発明が解決しようとする課題】
【０００４】
上述の、特許文献１に記載の表示板を備える表示装置において、目盛板に形成された透光性表示層は指針の駆動軸と同心上の円弧に沿って配置されている。一方、光源は透光性表示層が成す円弧の中心付近に配置されている。したがって、光源から発せられた光が、被照明部である透光性表示層に到達するまでの行程である光路長さが長くなり、光路途中での減衰により、光源が発する光の透過照明に関する利用効率が低くなる、という問題がある。
【０００５】
本発明は、上記の問題点に鑑みなされたもので、光源の配置等に工夫を凝らして、光源が発する光を高効率で透光性表示層の透過照明に利用可能な表示装置を提供することを目的とする。
【課題を解決するための手段】
【０００６】
本発明は上記目的を達成する為、以下の技術的手段を採用する。
【０００７】
本発明の請求項１に記載の表示装置は、規則的に配列される表示意匠を備え透光性材質から形成された文字盤と、文字盤の背面側に配置された光源が発する光により表示意匠を透過照明する表示装置であって、光源は表示意匠の直下に文字盤に向けて光を照射するように配置され、光源の発光面と文字盤との間には光源からの光を光源と対向する表示意匠よりも遠くの表示意匠に向けて反射する反射部材を備える構成としている。
【０００８】
この場合、光源を表示意匠の直下に配置するとともに、反射部材により光源直上から離れた表示意匠へ向けてそれらを透過照明するように反射している。
【０００９】
これにより、光源から発せられた光が被照明部である透光性表示層に到達するまでの行程である光路長さを、従来の表示装置における光路長さに比べて格段に短くすることができる。したがって、光源から発せられた光が被照明部に至る途中における減衰光量を小さく抑えて、光源が発する光を高効率で透光性表示層の透過照明に利用することができる。
【００１０】
本発明の請求項２に記載の表示装置は、反射部材は光源の光軸を挟むように２つの反射面を備える構成としている。
【００１１】
一般的に、光源、たとえば発光ダイオード等から発せられる光の照度分布は軸対象形状となっている。したがって、本発明の請求項２に記載の表示装置のような構成、すなわち、反射部材に光源の光軸を挟むような２つの反射面を設け、光源からの光を文字盤に向けて反射すれば、各反射面から文字盤へ向かう光の光量をほぼ等しくすることができるので、透過照明される表示意匠の発光輝度を均一にすることができる。
【００１２】
本発明の請求項３に記載の表示装置は、反射部材は光源に向かって凸の多面体あるいは曲面体である構成としている。
【００１３】
反射部材を多面体あるいは曲面体とすれば、その形状を調整することにより、反射部材で反射して文字盤へ入射する光の照度分布を任意に設定することができる。
【００１４】
これにより、反射部材で反射して文字盤へ入射光の照度が均一であるような範囲の形状を、文字盤の被照明部分の形状に一致させて、透過照明される表示意匠の発光輝度を均一にすることができる。
【００１５】
本発明の請求項４に記載の表示装置は、表示意匠は円弧上または楕円弧上に配列され、光源は円弧上または楕円弧上、あるいはこれらと同心上に複数個配置される構成としている。
【００１６】
たとえば、自動車用表示装置における典型的な指針計器においては、表示意匠は円弧上または楕円弧上に配列されている。
【００１７】
この場合、表示意匠の直下且つ表示意匠の成す円弧上または楕円弧上、あるいはこれらと同心上に光源を複数個配置すれば、光源が発する光を高効率で透光性表示層の透過照明に利用することができ、且つ透過照明される表示意匠の発光輝度を均一にすることができる。
【００１８】
本発明の請求項５に記載の表示装置は、反射部材は文字盤および光源等を収容するケーシングと一体的に形成される構成としている。
【００１９】
このような構成とすることにより、反射部材と光源の位置関係および反射部材と文字盤との位置関係の精度を高めて、光源が発する光を高効率で透光性表示層の透過照明に利用することができる。また、表示装置を構成する部品点数を低減して表示装置のコストを低減することができる。
【００２０】
本発明の請求項６に記載の表示装置は、反射部材で反射した反射光の一部を表示意匠に向けて反射する第２反射部材を備える構成としている。
【００２１】
一般的に、光源、たとえば発光ダイオード等から発せられる光は、輝度が最も高い方向である光軸を中心とする円錐状に分布している。このため、反射部材の反射面における反射光のうち、文字盤から反れた方向に進む光も幾分は生じている。
【００２２】
そこで、このような光を、第２反射部材を設けて表示意匠に向けて反射することにより、反射部材で反射し文字盤から反れた方向に進む光を文字盤の照明に利用することができるので、光源が発する光を高効率で透光性表示層の透過照明に利用可能な表示装置を提供することができる。
【００２３】
本発明の請求項７に記載の表示装置は、第２反射部材はケーシングと一体的に形成される構成としている。
【００２４】
このような構成とすることにより、反射部材と光源の位置関係および反射部材と文字盤との位置関係の精度を高めて、光源が発する光を高効率で透光性表示層の透過照明に利用することができる。また、表示装置を構成する部品点数を低減して表示装置のコストを低減することができる。
【発明を実施するための最良の形態】
【００２５】
以下、本発明による表示装置を、自動車に搭載されるコンビネーションメータ１に適用した場合を例に図面に基づいて説明する。
【００２６】
（第１実施形態）
図１は、本発明の第１実施形態によるコンビネーションメータ１の部分正面図である。図１において、上方が自動車の上方であり、左右方向が自動車の幅方向となっている。
【００２７】
図２は、本発明の第１実施形態によるコンビネーションメータ１の断面図であり、図１中のＩＩ−ＩＩ線断面図である。なお、図２において、左方が運転席であり、コンビネーションメータ１は、図２において、左側から視認される。
【００２８】
図３は、本発明の第１実施形態によるコンビネーションメータ１における発光ダイオード４の配置、およびそれらによる文字盤２上の照明範囲を説明する模式図である。
【００２９】
図４は、図１中のＩＶ−ＩＶ線断面図である。
【００３０】
図５は、本発明の第１実施形態によるコンビネーションメータ１の電気回路構成を説明する模式図である。
【００３１】
コンビネーションメータ１は、当該自動車の車室内の運転席前方に運転者が視認可能に設けられて、当該自動車の作動状態（走行速度、エンジン回転数等）や各種情報を表示するものである。
【００３２】
コンビネーションメータ１は、図１に示すように、指針計器である当該自動車の走行速度を指示する速度計Ｓを備えている。
【００３３】
文字盤２は、透光性材質、たとえば無色透明のポリカーボネート樹脂あるいはアクリル樹脂等からなる透明基板２０の視認者側の表面２０ａに、図１に示すように、表示意匠である目盛２１、数字２２および文字２３を、ホットスタンプあるいは印刷等を施して設けたものである。すなわち、目盛２１、数字２２および文字２３を半透光性の白色で着色し、且つ目盛２１、数字２２および文字２３を除く背景部を艶消し黒色で着色している。これにより、文字盤２が、その背後に配置されている後述する発光ダイオード４からの光により照射されると、この照射光は、目盛２１、数字２２および文字２３のみを透過し、それらの背景部は透過しない。したがって、目盛２１、数字２２および文字２３のみが白色で発光表示される。また、目盛２１は、図１に示すように、後述する指針３の回転軸であるシャフト６１を中心とした放射状に、且つシャフト６１と同心上の円弧上に配置されている。また、数字２２も、シャフト６１と同心上の円弧上に配置されている。なお、目盛２１、数字２２および文字２３は、後述する指針３とともに当該自動車の走行速度を指示するためのものである。
【００３４】
また、文字盤２は、図２に示すように、後述するムーブメント６のシャフト６１を文字盤２の表側（図２の左側）へ挿通させるための貫通孔２０ｂを備えている。
【００３５】
指針３は、透光性材料、たとえば無色透明のポリカーボネート樹脂あるいはアクリル樹脂等から形成されている。指針３は、図２に示すように、文字盤２の裏側（図２の右側）に配置される後述するムーブメント６のシャフト６１に固定されている。これにより、ムーブメント６が駆動されてシャフト６１が回転すると、指針３もシャフト６１と一体的に回転する。また、指針３の下面３１は、不透光性の赤色で着色されている。これにより、指針３は、文字盤２の裏側（図２の右側）に配置される後述する発光ダイオード７からの光により照明されると、赤色で発光表示される。
【００３６】
また、指針３には、図２に示すように、遮光キャップ１４が装着されている。遮光キャップ１４は、光不透過の材質、たとえば金属あるいは黒色の樹脂材料等から略円筒状に形成され、その直径は、文字盤２の貫通孔２０ｂの直径よりも大きく設定されている。したがって、遮光キャップ１４により、発光ダイオード７からの光が、貫通孔２０ｂを通過して直接視認者の眼に入射する、あるいは指針３の下面３１で反射せずに直接視認者の眼に入射することにより視認者が眩惑されることを確実に防止している。
【００３７】
指針３を回動させるための動力源であるムーブメント６は、たとえば交差コイル式アクチュエータあるいはステッピングモータ等が用いられている。ムーブメント６は、外部から電圧を印加されるとトルクを発生しシャフト６１を回動させる。これにより、シャフト先端に固定された指針３が、文字盤２の表面に沿って回動する。
【００３８】
ムーブメント６は、文字盤２の裏側（図２の右側）に配置されているプリント基板８上に実装されている。プリント基板８は、たとえばガラスエポキシ基板等から形成され、コンビネーションメータ１の電気回路部を形成している。
【００３９】
また、プリント基板８には、図２に示すように、文字盤２を透過照明して目盛２１、数字２２および文字２３を発光表示するための発光ダイオード４が実装されている。発光ダイオード４は、文字盤２の目盛２１および数字２２の直下、つまり視認方向において目盛２１および数字２２と重なる位置に、その発光面４１を文字盤２に対向させて配置されている。すなわち、図３に示すように、文字盤２の目盛２１が配列されてなる円弧Ｃ２１および数字２２が配列されてなる円弧Ｃ２２と同軸上の円弧Ｃに沿って３個配置されている。また、本発明の第１実施形態によるコンビネーションメータ１においては、発光ダイオード４として、発光色が白色の白色発光ダイオードを用いている。また、発光ダイオード４と文字盤２との間には、図２に示すように、反射部材としてのリフレクタ５が配置されている。
【００４０】
リフレクタ５は、発光ダイオード４が発する光を、図４に示すように、発光ダイオード４直上の目盛２１および数字２２よりも遠くの目盛２１および数字２２に向けて反射するためのものである。リフレクタ５は、図４に示すように、発光ダイオード４の光軸４２、すなわち、発光ダイオード４が発する光の発光輝度が最大である方向を挟むように、２つの反射面５１を備えている。また、リフレクタ５は、先に説明した文字盤２、指針３、ムーブメント６、プリント基板８等を収容するケーシング１３と一体的に形成されている。すなわち、本発明の第１実施形態によるコンビネーションメータ１においては、ケーシング１３は樹脂材料から形成されており、リフレクタ５も一体的に型により成型される。なお、反射面５１の形状は、平面あるいは曲面のいずれでもよく、個々の文字盤２の被照明範囲の形状に応じて、そこを効率良く照射できるような形状に設定されている
また、プリント基板８には、図２に示すように、指針３を発光表示するための発光ダイオード７が実装されている。発光ダイオード７から発せられる光は、図２に示すように、導光体１１により指針３へ導かれる。導光体１１は、透光性材料、たとえば無色透明のポリカーボネート樹脂あるいはアクリル樹脂等から形成されている。
【００４１】
また、プリント基板８には、発光ダイオード４、発光ダイオード７の点灯・消灯を制御するとともに、シャフト６１を所定角度だけ回動させるようにムーブメント６を駆動制御するコントローラ１２が実装されている。
【００４２】
コントローラ１２は、たとえばマイクロコンピュータ等から構成され、発光ダイオード４および発光ダイオード７の点灯・消灯を制御するとともに、ムーブメント６の駆動を制御している。
【００４３】
文字盤２の視認者側（図２の左側）には、図２に示すように、見返し板９が配置されている。見返し板９は、たとえば樹脂材料等から形成され、黒色、あるいは艶消し黒色に着色されている。また、見返し板９の先端、つまり図２の左端には、透明カバー１０が取り付けられている。透光カバー１０は、コンビネーションメータ１内部への異物、たとえば塵埃、水分等の侵入を防止して、コンビネーションメータ１内部を清浄に保っている。
【００４４】
以上説明した、文字盤２、指針３、ムーブメント６、プリント基板８等は、ケーシング１２内に収容、固定されている。ケーシング１３は、たとえば樹脂材料から形成されている。
【００４５】
次に、以上説明した、本発明の第１実施形態によるコンビネーションメータ１の特徴である発光ダイオード４の配置およびリフレクタ５の作用および効果について説明する。
【００４６】
発光ダイオード４による光の照射範囲は光軸４２を対称軸とした所定の角度範囲となっている。したがって、リフレクタ５が無い場合は、文字盤２においては、発光ダイオード４固有の照射角度範囲のみが透過照明されることになる。また、文字盤２の発光照度は、発光ダイオード４の直上部分が最も明るく光軸４２から遠ざかるに連れて明るさが低下する。すなわち、文字盤２の発光照度が不均一となってしまう。
【００４７】
そこで、図４に示すように、発光ダイオード４の光軸を挟むような２つの反射面５１を備えるリフレクタ５を配置すると、発光ダイオード４から発せられた光は、各反射面５１で反射して文字盤２を照射する。このとき、各反射面５１で反射した反射光は、文字盤２を目盛２１および数字２２の配列に沿うように照射して発光ダイオード４直上の目盛２１および数字２２よりも遠くの目盛２１および数字２２を照射する。すなわち、リフレクタ５により発光ダイオード４の照射角度が拡大され、したがって、文字盤２における一個の発光ダイオード４により照明される範囲も拡大される。
【００４８】
また、文字盤２の発光照度について説明する。
【００４９】
先ず、図４において、発光ダイオード４の直上部分は、リフレクタ５により発光ダイオード４からの光は直接入射せず、リフレクタ５の周縁を回折した光により透過照明される。したがって、リフレクタ５が無い場合に比べると、文字盤２の発光ダイオード４直上部分の発光照度は、若干低下する。
【００５０】
次に、図４において、発光ダイオード４の直上部分よりも外側の部分は、各反射面５１からの反射光により透過照明される。
【００５１】
ここで、本発明の第１実施形態によるコンビネーションメータ１においては、反射面５１の形状を次のように設定している。すなわち、発光ダイオード４の光軸４２に近い光ほど発光ダイオード４の直上部分からより遠い部分を照射するとともに、発光ダイオード４の光軸４２から遠い光ほど発光ダイオード４の直上部分により遠い部分を照射するように設定している。言い換えると、輝度の高い光ほど、発光ダイオード４から出射し反射面５１を経て文字盤２に到達するまでの光路長さが長くなるように設定している。つまり、輝度の高い光の光路長さは長く、輝度の低い光の光路長さは短くなっている。
【００５２】
これにより、文字盤２において、一個の発光ダイオード４により照明される範囲を拡大することができ、且つその照明範囲に置ける発光照度を均一なものとすることができる。
【００５３】
また、発光ダイオード４を、文字盤２の被照明部分である目盛２１および数字２２の直下に配置したことにより、発光ダイオードから文字盤の被照明部分までの光路長さを、従来の表示装置の場合、すなわち、発光ダイオードを指針のシャフト近傍に配置した場合と比べて格段に短縮することができる。つまり、本発明の第１実施形態によるコンビネーションメータ１において、光路長さが最長となる一個の発光ダイオード４により照射される範囲の両端部においても、その光路長さは、従来の表示装置の場合よりも短くなっている。
【００５４】
これにより、光路途中における光量の減衰を抑制して、発光ダイオード４が発する光を高効率で文字盤２の表示意匠である目盛２１、数字２２および文字２３の透過照明に利用可能なコンビネーションメータ１を提供することができる。
【００５５】
なお、本発明の第１実施形態によるコンビネーションメータ１において、一組の発光ダイオード４およびリフレクタ５により照明される文字盤２の範囲は、図３中において照明範囲Ｂで示す部分である。本発明の第１実施形態によるコンビネーションメータ１においては、３組の発光ダイオード４およびリフレクタ５のペアを、各発光ダイオード４からの光の照明範囲Ｂを、図３に示すように、互いに部分的に重複させて配置することにより、文字盤２の被照明領域全体を均一な明るさで透過照明している。
【００５６】
また、本発明の第１実施形態によるコンビネーションメータ１では、リフレクタ５を、樹脂材料からなるケーシング１３と一体的に形成している。これにより、リフレクタ５と文字盤２、リフレクタ５と発光ダイオード４との位置関係精度を高めることができるので、文字盤２の目盛２１や数字２２をより均一な明るさで照明することができる。
【００５７】
また、本発明の第１実施形態によるコンビネーションメータ１において、リフレクタ５の反射面５１の反射率はできるだけ高いことが望ましい。リフレクタ５の反射面５１の反射率を高める手段としては、ケーシング１３を明色、たとえば白色の樹脂で成型する、あるいは、反射面５１に高反射率処理を施す等がある。ここで、高反射率処理とは、たとえば高反射率塗装やめっきを施す、高反射率素材（金属、フィルム等）を貼着する等である。
【００５８】
次に、第１実施形態によるコンビネーションメータ１の電気回路構成について、図５に基づいて説明する。
【００５９】
図５に示すように、各発光ダイオード４、７の点灯・消灯およびムーブメント６の駆動を制御するコントローラ１２には、バッテリ１６から電力が常時供給されている。
【００６０】
また、コントローラ１２には、イグニッションスイッチ１５が、その操作位置（ＯＮまたはＯＦＦ）を検出可能に接続されている。
【００６１】
また、コントローラ１２には、図５に示すように、自動車の走行速度検出用の速度センサ１７が検出信号を入力可能に接続されている。速度センサ１７は、たとえば当該自動車のトランスミッション出力軸の回転数を検出している。
【００６２】
また、コントローラ１２には、図５に示すように、発光ダイオード４、発光ダイオード７およびムーブメント６が接続されている。
【００６３】
次に、本発明の第１実施形態によるコンビネーションメータ１の作動について視認状態を中心に説明する。
【００６４】
（１）イグニッションスイッチ１５がＯＦＦ状態のとき。
【００６５】
この場合、コントローラ１２は、各発光ダイオード４、７を消灯させている。したがって、コンビネーションメータ１の文字盤２および指針３は発光表示ない。
【００６６】
（２）イグニッションスイッチ１５がＯＮ状態のとき。
【００６７】
運転者によりイグニッションスイッチ１５がＯＮ側に操作されると、コントローラ１２は、各発光ダイオード４、７を点灯させる。同時に、コントローラ１２は、速度センサ１７からの検出信号に基づいて走行速度を算出し、それらが速度計Ｓの指針３により指示されるように、ムーブメント６を駆動する。
【００６８】
以上説明した、本発明の第１実施形態によるコンビネーションメータ１においては、円弧上に沿って配列された目盛２１および数字２２を備えた文字盤２を、文字盤２の背面側に配置された発光ダイオード４が発する光により透過照明するコンビネーションメータ１において、発光ダイオード４は目盛２１および数字２２の直下に文字盤２に向けて光を照射するように配置され、発光ダイオード４の発光面４１と文字盤２との間には発光ダイオード４からの光を発光ダイオード４と対向する目盛２１および数字２２よりも遠くの目盛２１および数字２２に向けて反射するリフレクタ５を備える構成としている。
【００６９】
これにより、文字盤２において、一個の発光ダイオード４により照明される範囲を拡大することができ、且つその照明範囲に置ける発光照度を均一なものとすることができる。
【００７０】
また、発光ダイオード４を、文字盤２の被照明部分である目盛２１および数字２２の直下に配置することにより、発光ダイオードから文字盤の被照明部分までの光路長さを、従来の表示装置の場合、すなわち、発光ダイオードを指針のシャフト近傍に配置した場合と比べて格段に短縮して光路途中における光量の減衰を抑制し、発光ダイオード４が発する光を高効率で文字盤２の表示意匠である目盛２１、数字２２および文字２３の透過照明に利用可能なコンビネーションメータ１を提供することができる。
【００７１】
（第２実施形態）
図６は、本発明の第２実施形態によるコンビネーションメータ１の部分断面図であり、図４に相当する。
【００７２】
本発明の第２実施形態によるコンビネーションメータ１は、本発明の第１実施形態によるコンビネーションメータ１に対して、図６に示すように、リフレクタ５で反射した反射光の一部を文字盤２に向けて反射する第２反射部材としてのリフレクタ１８を追加したものである。
【００７３】
この場合、リフレクタ５で反射し且つ文字盤２からそれた方向に進む反射光を、リフレクタ１８により文字盤２へ向けて反射することにより、それらの光を文字盤２の照明に利用することができるので、発光ダイオード４が発する光を高効率で文字盤２の透過照明に利用可能なコンビネーションメータ１を提供することができる。
【００７４】
（第３実施形態）
図７は、本発明の第３実施形態によるコンビネーションメータ１の部分断面図であり、図４に相当する。
【００７５】
本発明の第３実施形態によるコンビネーションメータ１は、本発明の第１実施形態によるコンビネーションメータ１に対して、リフレクタ５に視認方向の貫通孔５２を設けている。
【００７６】
この場合、発光ダイオード４から発せられた光の一部は、貫通孔５２を通って、発光ダイオード４直上の目盛２１および数字２２を透過照明するので、発光ダイオード４直上の目盛２１および数字２２の発光輝度を高めることができる。
【００７７】
すなわち、リフレクタ５に設ける貫通孔５２の形状（直径、傾斜角度等）、位置、個数を適宜設定することにより、発光ダイオード４直上の文字盤２の発光輝度を調節して、文字盤２全体の発光輝度をより均一化することができる。
【００７８】
（第４実施形態）
図８は、本発明の第４実施形態によるコンビネーションメータ１の部分断面図であり、図４に相当する。
【００７９】
本発明の第４実施形態によるコンビネーションメータ１は、本発明の第１実施形態によるコンビネーションメータ１に対して、リフレクタ５を光透過性材料から形成するとともに、リフレクタ５で反射した反射光の一部を文字盤２に向けて反射する第２反射部材としてのリフレクタ１８を追加したものである。本発明の第４実施形態によるコンビネーションメータ１においては、リフレクタ５は光透過性材料である乳白色アクリル樹脂板から形成されている。
【００８０】
この場合、発光ダイオード４から発せられた光の一部は、図８に示すように、リフレクタ５で反射し、さらにリフレクタ１８で文字盤２に向けて反射され文字盤２を透過照明するとともに、一部の光はリフレクタ５を透過して直接文字盤２を透過照明する。したがって、本発明の第３実施形態によるコンビネーションメータ１の場合と同様に、発光ダイオード４直上の目盛２１および数字２２の発光輝度を高めるとともに、リフレクタ５の光透過率を適宜設定することにより、発光ダイオード４直上の文字盤２の発光輝度を調節して、文字盤２全体の発光輝度をより均一化することができる。
【００８１】
なお、以上説明した、本発明の第１〜第４実施形態によるコンビネーションメータ１においては、速度計Ｓ部を例に説明しているが、これに限定する必要はなく、他の種類の計器、たとえば、水温計、燃料計、時計、電圧計等に置き換える、あるいは追加してもよい。
【００８２】
また、以上説明した、本発明の第１〜第４実施形態によるコンビネーションメータ１において、文字盤２の目盛２１、数字２２および文字２３の発光色を白色としているが、全部あるいは一部について他の色に変えてもよい。
【００８３】
また、以上説明した、本発明の第１〜第４実施形態によるコンビネーションメータ１においては、文字盤２および指針３照明用の光源として発光ダイオード４および発光ダイオード７を用いているが、発光ダイオードに限る必要はなく、これらの少なくとも一つを他の種類の光源、たとえば電球、放電灯、ＥＬパネル等に置き換えてもよい。
【００８４】
また、以上説明した、本発明の第１〜第４実施形態によるコンビネーションメータ１において、指針３の発光色を赤色としているが、他の色に変えてもよい。また、指針３の発光色を下面３１への着色に依らずに、発光ダイオード自体の発光色に依る構成としてもよい。また、指針３自体を発光体、たとえば放電管等から形成してもよい。
【００８５】
また、本発明の表示装置の実施形態を、自動車に搭載されるコンビネーションメータ１を例に説明しているが、自動車用コンビネーションメータ１に限定する必要はなく、車両用以外の用途の各種機器、たとえば民生用機器等に適用してもよい。
【図面の簡単な説明】
【００８６】
【図１】本発明の第１実施形態によるコンビネーションメータ１の正面図である。
【図２】図１中のＩＩ−ＩＩ線断面図である。
【図３】本発明の第１実施形態によるコンビネーションメータ１における発光ダイオード４の配置、およびそれらによる文字盤２上の照明範囲を説明する模式図である。
【図４】図１中のＩＶ−ＩＶ線断面図である。
【図５】本発明の第１実施形態によるコンビネーションメータ１の電気回路構成を説明する模式図である。
【図６】本発明の第２実施形態によるコンビネーションメータ１の部分断面図である。
【図７】本発明の第３実施形態によるコンビネーションメータ１の部分断面図である。
【図８】本発明の第４実施形態によるコンビネーションメータ１の部分断面図である。
【符号の説明】
【００８７】
１    コンビネーションメータ（表示装置）
２    文字盤（指針計器）
２０    表示基板
２０ａ    表面
２０ｂ    貫通孔
２１    目盛（表示意匠）
２２    数字（表示意匠）
２３    文字（表示意匠）
３    指針
３１    下面
４    発光ダイオード
４１    発光面
４２    光軸
５    リフレクタ（反射部材）
５１    反射面
６    ムーブメント
６１    シャフト
７    発光ダイオード
８    プリント基板
９    見返し板
１０    透明カバー
１１    導光体
１２    コントローラ
１３    ケーシング
１４    遮光キャップ
１５    イグニッションスイッチ
１６    バッテリ
１７    速度センサ
１８    リフレクタ（反射部材）
Ｂ    照明範囲
Ｃ    円弧
Ｃ２１    円弧
Ｃ２２    円弧
Ｓ    速度計
【図１】
2005326183.tif 000003
【図２】
2005326183.tif 000004
【図３】
2005326183.tif 000005
【図４】
2005326183.tif 000006
【図５】
2005326183.tif 000007
【図６】
2005326183.tif 000008
【図７】
2005326183.tif 000009
【図８】
2005326183.tif 000010